(57)【要約】      （修正有）【課題】利用者が決済に伴う情報入力を行い得る決済システムであって、決済端末付近を簡素化することができ、レジスペースの確保をしやすい構成を提供する。【解決手段】ピンパッド３０は、充電回路３６と、外部操作が可能な入力部３２と、決済端末からの電磁波が届くエリアにピンパッド３０が配置されている場合に、当該電磁波を受信して動作電力又は充電回路３６への充電電力を生成する通信部３５と、動作電力又は充電回路３６からの電力供給を受けて動作し、入力部３２にて入力された入力情報を決済端末に送信する通信部３５と、を有している。そして、決済端末は、ＩＣカードの読取結果と、通信部が受信した入力情報とに基づいて決済処理を行う。【選択図】図５
2015090681.tif 000002
【特許請求の範囲】
【請求項１】
無線通信媒体を読み取ることで決済処理を行う決済端末と、
前記決済端末とは別体として構成され、外部操作による入力が可能な入力装置と、
を備えた決済システムであって、
前記決済端末は、
前記無線通信媒体に対する電磁波の送信及び前記無線通信媒体からの電磁波の受信を行う無線通信部と、
前記無線通信部による前記無線通信媒体の読取結果に基づいて前記決済処理を行う決済処理部と、
前記入力装置との間で通信処理を行う通信部と、
を備え、
前記入力装置は、
蓄電部と、
外部操作が可能な入力部と、
前記無線通信部からの電磁波が届くエリアに前記入力装置が配置されている場合に、当該電磁波を受信して動作電力又は前記蓄電部への充電電力を生成する受信部と、
前記動作電力又は前記蓄電部からの電力供給を受けて動作し、前記入力部にて入力された入力情報を前記決済端末に送信する送信部と、
を有し、
前記決済端末の前記決済処理部は、前記無線通信部による前記無線通信媒体の読取結果と、前記通信部が受信した前記入力情報とに基づいて前記決済処理を行うことを特徴とする決済システム。
【請求項２】
前記入力装置は、
暗号化キーを記録する暗号化キー記録部と、
前記入力部にて入力された前記入力情報を、前記暗号化キー記録部に記録された前記暗号化キーに基づいて暗号化する暗号化部と、
を備え、
前記送信部は、前記暗号化部によって暗号化された前記入力情報を前記決済端末に送信することを特徴とする請求項１に記載の決済システム。
【請求項３】
前記決済端末は、
前記暗号化部によって暗号化されたデータを解読するための解読キーを記録する解読キー記録部と、
前記通信部が受信した前記入力情報の暗号を、前記解読キー記録部に記録された前記解読キーに基づいて解読する解読部と、
を備え、
前記決済端末の前記決済処理部は、前記無線通信部による前記無線通信媒体の読取結果と、前記解読部が解読した前記入力情報とに基づいて前記決済処理を行うことを特徴とする請求項２に記載の決済システム。
【請求項４】
複数の前記決済端末を備え、
複数の前記決済端末のそれぞれの前記解読キー記録部に、前記暗号化部によって暗号化されたデータを解読するための前記解読キーが記録されており、
複数の前記決済端末のいずれの前記解読部でも、暗号化された前記入力情報が解読可能とされていることを特徴とする請求項３に記載の決済システム。
【請求項５】
前記決済端末は、所定の対向壁を備え、前記対向壁の壁面を介して前記無線通信部からの電磁波が放出される構成となっており、
前記決済端末の前記対向壁を覆う構成で当該決済端末上に前記入力装置が載置された場合に、前記無線通信部から出力される電磁波のエリア内に前記受信部が配置されることを特徴とする請求項１から請求項４のいずれか一項に記載の決済システム。
【請求項６】
前記受信部は、前記無線通信部から出力される電磁波に含まれるデータを受信可能とされており、
前記決済端末は、所定の対向壁を備え、前記対向壁の壁面を介して前記無線通信部からの電磁波が放出される構成となっており、
前記決済端末の前記対向壁を覆う構成で当該決済端末上に前記入力装置が載置された場合に、前記無線通信部から出力される電磁波のエリア内に前記受信部が配置され、且つ前記無線通信部により、電磁波を媒介として前記暗号化キーが送信される構成となっており、
前記入力装置には、前記受信部が前記暗号化キーを受信した場合に、その受信した前記暗号化キーを前記暗号化キー記録部に記録する登録処理部が設けられていることを特徴とする請求項２から請求項４のいずれか一項に記載の決済システム。
【請求項７】
前記決済端末には、当該決済端末上に前記入力装置が載置されたことを検知する検知部が設けられていることを特徴とする請求項５又は請求項６に記載の決済システム。
【請求項８】
前記入力装置には、所定の鍵情報を記録する鍵情報記録部が設けられ、
前記決済端末には、前記通信部による情報通信が可能となった前記入力装置において正規の前記鍵情報が記録されているか否かを判断する判断部が設けられており、
前記決済端末の前記決済処理部は、前記判断部によって正規の前記鍵情報が記録されていると判断された前記入力装置から前記入力情報を取得することを条件として前記決済処理を行うことを特徴とする請求項１から請求項７のいずれか一項に記載の決済システム。
【請求項９】
前記入力装置又は前記決済端末には、前記鍵情報の有効期限を登録する有効期限登録部が設けられており、
前記決済端末の前記判断部は、前記有効期限登録部の登録内容に基づき、前記通信部による情報通信が可能となった前記入力装置において有効期限内の正規の前記鍵情報が記録されているか否かを判断することを特徴とする請求項８に記載の決済システム。
【発明の詳細な説明】
【技術分野】
【０００１】
本発明は、決済システムに関するものである。
【背景技術】
【０００２】
電子マネーカードやクレジットカードなどを用いて決済を行うシステムでは、ピンパッドと称される入力装置が広く用いられている。例えば、高額商品購入時の決済などでは、利用者から提示された電子マネーカードやクレジットカードに記録された固有情報等を読み取る一方で、利用者に、ピンパッドでの暗証番号の入力を求めている。そして、カードから読み取った固有情報とピンパッドで入力された暗証番号とが正規の対応関係にある場合に決済処理を行うようにしている。
【先行技術文献】
【特許文献】
【０００３】
【特許文献１】特開２００３−１５７２３９公報
【発明の概要】
【発明が解決しようとする課題】
【０００４】
ところで、ピンパッドのような入力装置は、決済端末に付随して用いられるものであり、移動や出し入れが頻繁に行われやすいため、複雑な構成や移動に不利な構成は望ましくない。しかしながら、従来から用いられている一般的なピンパッドは、決済端末に専用ケーブルで接続された構成となっていたため、決済端末付近が煩雑化しやすかった。
【０００５】
例えば、ピンパッドに接続される専用ケーブルは、決済端末付近での作業スペースや配置スペースなどを狭める要因となり、その余剰分が多くなると店員の作業性を大きく低下させてしまうことになる。特に、ピンパッドは、現金決済時には使用せず、電子マネーなどの決済時に使用することが一般的であるため、現金決済時には邪魔にならないようにテーブルの奥や隅に置いておき、電子マネーなどの決済時に操作し易い位置に置くように使用することが多い。このように、決済の種別に応じて頻繁に移動させることが想定されるため、常に専用ケーブルが連結された構成では移動作業が非常に行い難く、決済の遅延化を招き易くなる。
【０００６】
一方、ピンパッドに関する技術として、特許文献１のような技術も提案されている。この技術では、ピンパッドの代わりに携帯電話を使用しており、これにより専用のピンパッドを用いなくて済む構成としている。しかしながら、この技術でも、ピンパッドの代わりの携帯電話と決済端末との間を専用ケーブルで接続しているため、上述の利便性の問題は解消できていない。
【０００７】
本発明は、上述した課題を解決するためになされたものであり、利用者が決済に伴う情報入力を行い得る決済システムであって、決済端末付近を簡素化することができ、決済に伴う作業スペースをより広く確保しやすい構成を提供することを目的とする。
【課題を解決するための手段】
【０００８】
本発明では、無線通信媒体を読み取ることで決済処理を行う決済端末と、
前記決済端末とは別体として構成され、外部操作による入力が可能な入力装置と、
を備えた決済システムであって、
前記決済端末は、
前記無線通信媒体に対する電磁波の送信及び前記無線通信媒体からの電磁波の受信を行う無線通信部と、
前記無線通信部による前記無線通信媒体の読取結果に基づいて前記決済処理を行う決済処理部と、
前記入力装置との間で通信処理を行う通信部と、
を備え、
前記入力装置は、
蓄電部と、
外部操作が可能な入力部と、
前記無線通信部からの電磁波が届くエリアに前記入力装置が配置されている場合に、当該電磁波を受信して動作電力又は前記蓄電部への充電電力を生成する受信部と、
前記動作電力又は前記蓄電部からの電力供給を受けて動作し、前記入力部にて入力された入力情報を前記決済端末に送信する送信部と、
を有し、
前記決済端末の前記決済処理部は、前記無線通信部による前記無線通信媒体の読取結果と、前記通信部が受信した前記入力情報とに基づいて前記決済処理を行うことを特徴とする。
【発明の効果】
【０００９】
請求項１の発明は、決済端末とは別体として構成される入力装置を備えており、この入力装置は、決済端末から受信する電磁波によって生成される動作電力又は蓄電部への充電電力を用いて、入力された入力情報を決済端末に送信する構成となっている。このように入力装置では、無線通信によって供給される電磁波に基づいて電力が生成されるため、外部装置からケーブルによって電力を受けずに済み、このようなケーブルを省略した使用が可能となる。特に、決済端末付近に多くのケーブルが介在することで作業スペースを圧迫したり、多くのケーブルが決済端末の移動や出し入れの邪魔になることをより抑えることができるため、決済に伴う作業スペースをより広く確保しやすく、決済作業を行いやすい構成を実現することができる。
【００１０】
請求項２の発明では、入力装置は、入力情報を暗号化部によって暗号化して決済端末に送信する構成となっている。この構成によれば、決済端末と入力装置との間を接続するケーブルを省略し得る構成を実現しつつ、入力装置から決済端末に送られる情報の秘匿化のレベルをより高めることができる。例えば、入力装置から決済端末への入力情報の送信時に、万が一、第三者によって入力情報が取得されたとしても、その入力情報を解読可能な解読キーを有さない限り入力情報を解読されず、秘匿性を保つことができる。
【００１１】
請求項３の発明では、決済端末は、受信した入力情報の暗号を、解読キー記録部に記録された解読キーに基づいて解読するように構成されている。この構成によれば、入力装置で暗号化された入力情報が、対応する正規の決済端末（当該入力情報を解読し得る解読キーが存在する決済端末）でしか解読できなくなり、より一層セキュリティ性を高めることができる。
【００１２】
請求項４の発明では、決済システムが、暗号化されたデータを解読キー記録部に記録された解読キーに基づいて解読する決済端末を複数備え、いずれの決済端末でも暗号化された入力情報を解読可能に構成されている。この構成によれば、暗号化機能を有する入力装置によって入力情報の秘匿性を高めつつ、その入力装置を、正規の複数の決済端末で共用できるようになり、利便性も高まる。
【００１３】
請求項５の発明では、決済端末は、所定の対向壁を備え、対向壁の壁面を介して無線通信部からの電磁波が放出される構成となっている。また、決済端末の対向壁を覆う構成で当該決済端末上に入力装置が載置された場合に、無線通信部から出力される電磁波のエリア内に受信部が配置される構成となっている。この構成によれば、入力装置と決済端末との通信範囲をより狭くすることができ、第三者がこのような狭い通信範囲内で電磁波を傍受することが困難となるため、セキュリティ性を一層高めることができる。また、入力装置の電波放出部と決済端末の受信部とがより近い位置で対向し、電磁波の送受信の際に介在する障害物も少なくなるため、両者間の通信がより良好に行われやすくなる。
【００１４】
請求項６の発明では、入力装置は、対向壁を覆う構成で決済端末上に載置される際に決済端末から送信される暗号化キーを受信した場合に、その受信した暗号化キーを登録処理部が暗号化キー記録部に記録する構成となっている。この構成によれば、入力装置への暗号化キーの受け渡しを、解読先となる決済端末を利用して円滑に行うことができる。また、この構成では、決済端末上に載置されることで入力装置に暗号化キーが記録されるため、入力装置内に事前に暗号化キーを長時間記録しておく必要が無く、入力装置からの暗号化キーの漏洩を防ぎやすくなる。
【００１５】
請求項７の発明では、決済端末は、当該決済端末上に入力装置が載置されたことを検知する検知部を備える構成となっている。この構成によれば、決済端末側で入力装置の存在を検知できるようになり、決済端末側では、入力装置の有無によって処理方法を変えることができる。
【００１６】
請求項８の発明では、入力装置に、所定の鍵情報を記録する鍵情報記録部が設けられ、決済端末の決済処理部は、判断部によって正規の鍵情報が記録されていると判断された入力装置から入力情報を取得することを条件として決済処理を行うように構成されている。この構成によれば、決済端末側で正規でない入力装置（即ち、所定の鍵情報が記録されない入力装置）を判別することができ、不正目的や誤操作等によって正規でない入力装置を用いて決済処理が行われることを防ぐことができる。
【００１７】
請求項９の発明では、入力装置又は決済端末に、鍵情報の有効期限を登録する有効期限登録部が設けられており、決済端末の判断部は、有効期限登録部の登録内容に基づき、通信部による情報通信が可能となった入力装置において有効期限内の正規の鍵情報が記録されているか否かを判断する構成となっている。この構成によれば、決済端末側で、登録した鍵情報の有効期限を超過した入力装置を判別できるようになり、鍵情報の有効期限を超過してセキュリティ性が低くなった入力装置の利用を効果的に防ぐことができる。
【図面の簡単な説明】
【００１８】
【図１】図１は、第１実施形態に係る決済システムを平面視した様子を概念的に例示する平面図である。
【図２】図２は、図１の決済システムを正面から見た様子を概念的に示す概念図である。
【図３】図３は、第１実施形態に係る決済システムの電気的構成を例示するブロック図である。
【図４】図４は、図１の決済システムで用いるＩＣカードの電気的構成を例示するブロック図である。
【図５】図５は、図１の決済システムにおけるピンパッドの電気的構成を例示するブロック図である。
【図６】図６は、図１の決済システムにおいてピンパッドが置き台に載置されている状態を説明する説明図である。
【図７】図７は、図１の決済システムにおいてピンパッドが決済端末上に載置されている状態を説明する説明図である。
【図８】図８は、図１の決済システムで行われる決済処理の流れを例示するフローチャートである。
【発明を実施するための形態】
【００１９】
[第１実施形態]
以下、本発明を具現化した第１実施形態について、図面を参照して説明する。
（全体構成）
図１〜図３に示す決済システム１は、クレジットカード等のＩＣカード２０を読み取り対象とし、当該ＩＣカード２０の読取結果と、ピンパッド３０に入力された入力情報に基づいて決済処理が可能なシステムとして構成されている。この決済システム１は、図１に示すように、上位装置２を備え、この上位装置２に、ＩＣカード２０から決済用データ（カード番号など）を読み取る装置として機能する決済端末１０が接続された構成となっている。更に、決済端末１０は、後述するピンパッド３０と無線通信可能に構成され、このピンパッド３０から決済端末１０に情報を入力することができるようになっている。以下、決済システム１を構築する各構成について説明する。
【００２０】
上位装置２は、例えばコンピュータなどの情報処理装置（情報処理機能を有する機器）を備えたＰＯＳ（point of sale）レジ等として構成されている。この上位装置２は、図３に示すように、ＣＰＵ等として構成される制御部３と、公知の入力デバイス（操作ボタン、キーボード、テンキー、コードリーダ等）によって商品価格等の情報を入力可能な入力部４と、液晶表示器等の公知の表示装置として構成される表示部５と、公知の記憶媒体（ＲＯＭ、ＲＡＭ、不揮発性メモリなどの各種記憶媒体等）によって構成される記憶部６と、外部装置と無線通信や有線通信を行うための通信インタフェースとして構成される通信部７とを備えている。このように構成される上位装置２は、接続される決済端末１０で読み取られた情報を取得し得るように構成されており、決済端末１０からの情報に基づいて決済に関する様々な処理を行うようになっている。
【００２１】
また、上位装置２は、図略の電子マネーセンタ（決済管理会社等のサーバなど）とインターネットやＬＡＮなどの通信網を介して通信するように構成されている。そして、上位装置２は、当該上位装置２に接続された決済端末１０で読み取られたＩＣカード２０の情報（クレジットカード番号や電子マネーカード番号等の固有情報などからなる決済用データ）と、ピンパッド３０に入力される情報（例えば、ピン（ＰＩＮ；personal identification number）など）と、に基づいてそのＩＣカード２０での決済に関する処理（決済管理会社等のサーバへの照会など）を行うようになっている。
【００２２】
決済端末１０は、基本的には公知のＩＣカードリーダライタとして構成されており、例えば、上位装置２から処理開始要求が与えられたときに、通信可能なエリア内に存在するＩＣカード２０と通信し得る構成をなしている。この決済端末１０は、例えばＩＣカード２０を読取可能に構成され、そのＩＣカード２０の決済処理を行うことが可能とされたものである。また、この決済端末１０は、図７に示すように、例えば略直方体状の概観をなしており、例えばＡＢＳ樹脂等の合成樹脂材料により形成される長手状の筐体１０ａによって外郭が形成される構成となっている。また、図７に示すように、筐体１０ａの上面部は、ピンパッド３０を載置可能な略板状の対向壁１０ｂとして形成されている。そして、対向壁１０ｂの壁面を介して後述する送信回路１１からの電磁波が上方（対向壁１０ｂが面する側）に放出される構成となっている。
【００２３】
決済端末１０は、ＩＣカード２０（無線通信媒体）を読み取ることでこのＩＣカード２０に関する決済処理を行うものであり、図３に示すように、送信回路１１、受信回路１２、制御回路１３、記憶部１４、アンテナ１６、表示部１８等を備えている。なお、決済端末１０には図示しない操作部（操作ボタン等）が設けられていてもよい。制御回路１３は、決済端末１０の全体的な制御を司るものであり、例えばマイクロコンピュータ等で構成されている。この制御回路１３は、例えば上位装置２より与えられる指令に応じて、当該決済端末１０に記憶されている制御プログラムに従い決済端末１０を制御するようになっている。
【００２４】
図３に示す決済端末１０では、制御回路１３によって出力される送信データは送信回路１１において符号化されると、更に符号化データによる搬送波の変調が行われ、被変調信号がアンテナ１６に出力される。アンテナ１６を構成するコイルには共振コンデンサ１７が並列に接続されており、被変調信号は、アンテナ１６より電波信号として外部に送信される。また、アンテナ１６には、受信回路１２の入力端子が接続されており、その受信回路１２には、アンテナ１６によって受信された電波信号が入力されるようになっている。受信回路１２では、復調処理及び復号化処理が行われ、復号された受信データは制御回路１３に出力されるようになっている。
【００２５】
更に、決済端末１０は、ＩＣカード２０との間で行われる無線通信と同様の方式で、後述するピンパッド３０と無線通信が可能となっており、ピンパッド３０で入力された情報を無線通信によって取得し得るように構成されている。また、記憶部１４には、後述するプログラム（各媒体に対応するプログラム）が記憶されており、各媒体での決済時に各プログラムを起動させ得るようになっている。また、記憶部１４には、受信回路１２がピンパッド３０から受信した暗号化されたデータを解読するための解読キーを記録する構成となっている。更に、この記憶部１４には、決済端末１０がピンパッド３０と無線通信する場合に、ピンパッド３０が正規のピンパッド３０であるか否か判断する際の判断材料となる所定の鍵情報の有効期限が記録される構成となっている。なお、ピンパッド３０の内容や、各プログラムの内容は後述する。本構成では、送信回路１１及び受信回路１２が、「無線通信部」の一例に相当し、ＩＣカード２０に対する電磁波の送信及びＩＣカード２０からの電磁波の受信を行うように機能する。また、送信回路１１及び受信回路１２は、「通信部」の一例に相当し、ピンパッド３０（入力装置）との間で通信処理を行うように機能する。
【００２６】
また、決済端末１０は検知部１９を備えており、この検知部１９は、当該決済端末１０上にピンパッド３０（入力装置）が載置されたことを検知するように機能する。具体的には、図７に示すように、例えば決済端末１０の対向壁１０ｂに溝部１９Ａが形成されており、当該溝部１９Ａ内に投光素子１９Ｂ及び受光素子１９Ｃが設けられている。そして、決済端末１０上に対向壁１０ｂを覆うようにピンパッド３０が載置された場合には、投光素子１９Ｂから上方に向かって照射される光がピンパッド３０の下面３７に反射し、上方から受光素子１９Ｃに反射した光が入射するため、決済端末１０上にピンパッド３０が載置されていることを検出することができるようになっている。なお、図７では、決済端末１０上に載置されるピンパッド３０を一点鎖線にて概念的に示しており、溝部１９Ａ内の構成を破線にて概念的に示している。
【００２７】
ＩＣカード２０は、ハードウェア的には非接触通信可能な公知のＩＣカードとして構成され、図４に示すように、アンテナ２１，電源回路２２，復調回路２３，制御回路２４，メモリ２５，変調回路２６，負荷変調回路２７などによって構成されている。尚、アンテナ２１には、コンデンサ２８が並列に接続されている。ＩＣカード２０は、「無線通信媒体」の一例に相当し、メモリ２５内に決済用データ（カード番号や残金など）が記録されており、搬送波を媒介として決済端末１０と無線通信を行い得るように構成されている。
【００２８】
このＩＣカード２０は、決済端末１０より送信された搬送波をアンテナ２１を介して受信すると、電源回路２２において搬送波を整流して動作用電源を生成し、マイクロコンピュータで構成される制御回路２４及びその他の構成要素に供給するようになっている。また、搬送波に重畳されている決済端末１０からの送信データは復調回路２３によって復調され、制御回路２４に出力されるようになっている。制御回路２４は、動作用電源が供給されて起動すると、決済端末１０からの送信データを受けてメモリ２５に記憶されているデータを読み出し、また、ライトコマンドが送信された場合はデータを書き込む。変調回路２６は、受信した搬送波を分周した副搬送波を制御回路２４が出力する応答データによって変調する。アンテナ２１に対しては、負荷変調回路２７を構成する抵抗及びスイッチの直列回路が並列に接続されている。そして、変調回路２６より出力される副搬送波の被変調信号により負荷変調回路２７のスイッチがオンオフされることで搬送波が負荷変調され、応答（レスポンス）が返信される。
【００２９】
ピンパッド３０は、「入力装置」の一例に相当するものであり、決済端末１０とは別体として構成され、外部操作（例えば外部からのボタン押圧操作など）による入力が可能となるように構成されている。このピンパッド３０は、例えば各ＩＣカード２０にそれぞれ定められているピン（例えば４桁の数字からなる暗証番号）の外部入力を行うための入力装置として構成されている。また、決済端末１０と無線通信可能に構成され、入力された情報を決済端末１０に送信可能に構成されている。このピンパッド３０は、図７に示すように、例えば略直方体状の概観をなしており、決済端末１０上に載置されて使用される構成をなしている。また、ピンパッド３０は、例えばＡＢＳ樹脂等の合成樹脂材料により形成される長手状の筐体によって外郭が形成される構成となっている。
【００３０】
図５に示すように、ピンパッド３０は、ＣＰＵ等として構成される制御回路３１と、外部操作が可能な入力部３２と、ＬＥＤ等のランプや液晶表示モニタ等として構成される表示部３３と、公知の記憶媒体（ＲＯＭ、ＲＡＭ、不揮発性メモリなどの各種半導体メモリ等）によって構成される記憶部３４と、決済端末１０と無線通信を行うための通信インタフェースとして構成される通信部３５と、これら制御回路３１等の動作電力を蓄電する充電回路３６と、を備えている。
【００３１】
制御回路３１は、ピンパッド３０を全体的に制御可能なマイコンで各種情報処理を行うものである。この制御回路３１には、内蔵された入出力インタフェースを介して種々の入出力装置（周辺装置）が接続されており、本実施形態の場合、入力部３２、表示部３３、記憶部３４、通信部３５、充電回路３６等が接続されている。
【００３２】
入力部３２は、所定の配列でそれぞれ配置された数字キーや機能キー等の入力キーによって構成され、外部操作が可能とされており、例えば、ユーザ（店舗側の販売員や店舗利用者など）が当該入力部３２に対する操作（例えば複数回のボタン押圧操作など）を行うことにより、決済処理に用いる暗証番号などを入力可能な構成になっている。また、表示部３３は、ＬＥＤ等のランプや液晶表示モニタ等によって構成され、制御回路３１による情報処理結果やピンパッド３０の動作状態等を表示可能に構成されている。
【００３３】
また、記憶部３４は、例えばＲＡＭ、ＲＯＭ、不揮発性メモリなどの公知の記憶装置によって構成されている。この記憶部３４には、決済端末１０がピンパッド３０と無線通信する場合に、ピンパッド３０が正規のピンパッド３０であるか否か判断する際の判断材料となる「所定の鍵情報」が記録される構成となっている。また、記憶部３４には、入力部３２によって入力された入力情報を暗号化するために使用する「暗号キー」が記録される構成となっている。
【００３４】
通信部３５は、決済端末１０と公知の通信方式で無線通信を行うようになっている。この通信部３５は、例えばＩＣカード２０の通信部２９（アンテナ２１、復調回路２３、変調回路２６、負荷変調回路２７、コンデンサ２８などからなる通信部２９）と同様に構成されており、決済端末１０との間で電磁波を媒介とした非接触通信を行うようになっている。この通信部３５は、具体的には、送信回路１１から出力される電磁波に含まれるデータ（例えば、決済端末１０からの指令など）を受信可能となっており、入力部３２によって入力されたピン（例えば４桁の数字）の入力情報を、電磁波を媒介として決済端末１０に送信可能に構成されている。また、この通信部３５は、決済端末１０から送信される電磁波を受信して誘導起電力を発生させるように構成されている。
【００３５】
充電回路３６は、ハードウェア的には図４に示す電源回路２２と同様に構成されており、ＩＣカード２０と同様の方法で動作電力を生成し、その一部を図示しないコンデンサや電池に蓄積するように機能している。なお、充電回路３６で用いるコンデンサや電池は特に限定されないが、例えば電気二重層コンデンサ等の比較的静電容量の大きいコンデンサを好適に用いることができる。また、コンデンサに限らず、リチウムイオン電池やその他の二次電池を用いてもよい。また、充電回路３６の構成はこの例に限られるものではなく、通信部３５が受信した電磁波を利用して動作電力を生成し得る構成であれば公知の様々な構成を利用できる。例えば、充電回路３６は、整流回路、定電圧回路、定電流回路等から構成される電圧電流制御部が設けられる構成であってもよく、この場合、電圧電流制御部は、搬送波の受信によって生じる交流電力（電圧、電流）を整流回路により直流の電圧・電流に変換し、定電圧回路により所定電圧、あるいは定電流回路により所定電流を生成してコンデンサや電池を充電するようにしてもよい。なお、本構成では、充電回路３６（より具体的には充電回路３６のコンデンサや電池）が「蓄電部」の一例に相当する。
【００３６】
本構成では、通信部３５及び充電回路３６が「受信部」の一例に相当し、送信回路１１からの電磁波が届くエリアに配置されている場合に、当該電磁波を受信して動作電力又は充電回路３６への充電電力を生成するように機能する。また、通信部３５は、「送信部」の一例に相当し、充電回路３６で生成された動作電力又は充電回路３６のコンデンサ又は電池からの電力供給を受けて動作し、入力部３２にて入力された入力情報を決済端末１０に送信するように機能する。
【００３７】
（決済処理）
次に、上述の決済システム１で行われる決済処理について、図８等を用いて説明する。なお、以下では、店舗などでの商品の購入時に行われる決済処理を想定して説明する。
店舗では、例えば、決済システム１を構成する上位装置２や決済端末１０が、図１及び図２に示すように、商品を置いて接客可能な構成の接客テーブル５０上に載置され、販売員によって使用されるようになっている。これら上位装置２や決済端末１０は、例えば、ある程度使用場所が固定されており、ケーブルなどによって外部からの電力供給を受ける構成となっている。一方、ピンパッド３０は、当該ピンパッド３０が必須となる決済処理以外では使用しなくても良いため、ピンパッド３０が不要な時には、例えば、接客テーブル５０上に置かれたり、接客テーブル５０以外の場所（例えば図６のような所定の置き台（例えば収納棚など））に配置されるようになっている。
【００３８】
図８に示す決済処理は、例えば、決済端末操作者（例えば店舗の販売員など）により、入力部４に対して所定操作が行われたときに上位装置２及び決済端末１０によって実行されるようになっている。
まず、購入者が商品を販売員に渡したり、商品を指定するなどして販売員が購入商品を認識すると、販売員は、商品の価格（精算金額）を入力する。この入力方法は公知の様々な入力方法を用いることができ、入力部４での手入力であってもよく、情報コードの読み取りであってもよい。このように販売員の操作によって商品の価格（精算金額）が入力されると、上位装置２にはこの価格情報（精算金額）が一時的に記憶される。一方、商品を購入する予定の利用者が、当該利用者が保持するＩＣカード２０を店舗の販売員へ渡すと、販売員は、利用者から受け取ったＩＣカード２０を決済端末１０に読み取らせる。或いは、利用者が自身のＩＣカード２０を直接決済端末１０に読み取らせる。そして、このように決済端末１０に対してＩＣカード２０を読み取らせる操作が行われると、決済端末１０は、ＩＣカード２０と非接触通信を行い、ＩＣカード２０に記録される決済用データ（カード番号や残金など）を読み取る。例えば、ＩＣカード２０がクレジットカードの場合にはクレジットカード番号を読み取り、ＩＣカード２０が電子マネーカードの場合にはカード番号や残金などを読み取る。
【００３９】
なお、図８では、このような通常のカード認識処理を省略して示しており、このようなカード認識処理の後にＳ１以降の処理を行うようになっている。決済端末１０は、Ｓ１において、上述した読取処理で読み取ったＩＣカード２０を用いた決済処理を行う上で暗証番号の入力が必要か否かを判定する（ステップＳ１）。
【００４０】
なお、Ｓ１の判断処理において「暗証番号の入力」を必要とする条件は、様々に設定することができる。例えば、決済される金額（上述の精算金額）が所定金額未満の少額の場合には、暗証番号の入力を不要と判定し、逆に、決済される金額（上述の精算金額）が所定金額以上の高額の場合には、暗証番号の入力が必要と判定するようにしてもよい。或いは、特定のカード種別の場合には暗証番号の入力が必要と判定し、それ以外のカード種別の場合には暗証番号の入力が不要と判定するようにしてもよい。若しくは、特定のカード種別において特定の条件の場合に暗証番号の入力を不要とし、それ以外の場合に暗証番号の入力を必要と判定するようにしてもよい。なお、以下の代表例では、決済対象のＩＣカード２０がプリペイド型の電子マネーカードである場合にＳ１でＮｏと判定され、それ以外の場合にＳ１でＹｅｓと判定される例を挙げて説明する。
【００４１】
Ｓ１において暗証番号の入力が必要でないと判定される場合には、Ｓ１にてＮｏに進み、暗証番号の入力がなされることなく、Ｓ２にて決済処理がなされ、当該決済処理を終了する。この決済処理では、例えば、決済対象となるＩＣカード２０（精算の際に決済端末１０で読み取られるＩＣカード）がプリペイド型の電子マネーカードである場合には、読み取った決済用データを基に、決済端末１０の制御回路１３にて、残金から精算金額を差し引いた新たな残金を算出し、電子マネーカードの残金を書き換える処理（いわゆる、オフライン決済）を行うようになっている。
【００４２】
一方、ステップＳ１にて決済端末１０で読み取られたＩＣカード２０が、例えば、クレジットカードやデビットカードもしくはポストペイ型の電子マネーカードなどで暗証番号の入力を必要とする場合、Ｓ１ではＹｅｓとなり、Ｓ３へと進む。このＳ３の処理では、決済端末１０の上にピンパッド３０を置く動作を検出する。なお、Ｓ３では、例えば決済端末１０の表示部１８に「ピンパッド３０を載置してください」などのメッセージを表示させ、販売員にピンパッド３０の載置を促し、販売員はこの指示に従ってピンパッド３０を決済端末１０の上に置くようにしてもよい。Ｓ３の処理では、決済端末１０の検知部１９によって、当該決済端末１０上にピンパッド３０が載置されたことを検知するようになっており、検知部１９によってピンパッド３０が検知された場合にＳ３の処理を終了してＳ４に進むようになっている。
【００４３】
Ｓ３の後には、ピンパッド３０での入力機能を指定する処理を行う（Ｓ４）。この処理では、例えば、暗号化キーを用いた暗号入力を指定するように動作する。本構成では、決済端末１０の対向壁１０ｂを覆う構成で当該決済端末１０上にピンパッド３０が載置された場合、検知部１９によって検知信号（例えば、受光素子１９Ｃによる受光信号）が出力され、決済端末１０ではこの検知信号をトリガとして、送信回路１１から電磁波を出力し、ピンパッド３０と非接触通信を行うようになっている。具体的には、送信回路１１から出力される電磁波のエリア内に通信部３５が配置され、且つ送信回路１１により、電磁波を媒介として暗号化キーがピンパッド３０に送信されることになる。即ち、図２及び図７に示すように、決済端末１０の対向壁１０ｂ上にピンパッド３０を載置して、対向壁１０ｂをピンパッド３０の下面３７によって覆うことによって、決済端末１０とピンパッド３０との間で通信が確立し、決済端末１０からピンパッド３０に暗号化キーが送信されることになる。そして、ピンパッド３０は、通信部３５が暗号化キーを受信した場合に、その受信した暗号化キーを記憶部３４に記録するようになっている。なお、制御回路３１は、「登録処理部」の一例に相当し、通信部３５が暗号化キーを受信した場合に、その受信した暗号化キーを記憶部３４に記録するように機能する。
【００４４】
そして、決済端末１０は、Ｓ４の後に、決済端末１０上に載置されたピンパッド３０が利用可能か否か判断する処理を行う（Ｓ５）。このＳ５の処理では、決済端末１０は、送信回路１１及び受信回路１２による情報通信が可能となったピンパッド３０において正規の鍵情報が記録されているか否かを判断する。また、決済端末１０は、記憶部１４の登録内容に基づき、送信回路１１及び受信回路１２による情報通信が可能となったピンパッド３０において有効期限内の正規の鍵情報が記録されているか否かを判断する。例えば、決済端末の記憶部１４（例えば不揮発性メモリ）には、予め正規の鍵情報（例えば、数字、文字、その他の記号などを複数並べた記号列などの情報）が登録されており、使用候補となるピンパッド３０の記憶部３４（例えば不揮発性メモリ）には、この正規の鍵情報を記録しておくことができるようになっている。また、決済端末の記憶部１４には、その正規の鍵情報と対応付けて当該鍵情報の有効期限（例えば、有効期限となる日付）を登録しておくことができるようになっている。そして、Ｓ５の処理では、決済端末１０上に載置されたピンパッド３０の記憶部３４を読み取り、この記憶部３４内に記憶部１４に登録された正規の鍵情報が存在するか否かを判断する。そして、記憶部３４内に記憶部１４に登録された正規の鍵情報が存在する場合には、Ｓ５の処理を行っている現在の日付が、記憶部１４においてその正規の鍵情報と対応付けられた有効期限の日付を超えているか否かを判断する。Ｓ５ではこのような判断を行い、記憶部３４内において記憶部１４に登録された正規の鍵情報が存在しない場合、又は現在の日付が記憶部３４に記録された正規の鍵情報の有効期限（記憶部１４に登録される当該正規の鍵情報の有効期限）を超えている場合にはＳ５にてＮｏに進む。一方、記憶部３４内において記憶部１４に登録された正規の鍵情報が存在し、且つ現在の日付がその正規の鍵情報の有効期限（記憶部１４に登録される当該正規の鍵情報の有効期限）を超えていない場合にはＳ５にてＹｅｓに進む。なお、Ｓ５にてＮｏに進む場合には、取引中止処理（例えばエラーである旨の報知など）を行い、図８に示す決済処理を終了する。
【００４５】
なお、記憶部３４は、「鍵情報記録部」の一例に相当し、所定の鍵情報、即ち決済端末１０とピンパッド３０とを正規に対応付ける鍵情報を記録するように機能する。また、記憶部１４は、「有効期限登録部」の一例に相当し、鍵情報の有効期限を登録するように機能する。また、制御回路１３は、「判断部」の一例に相当し、送信回路１１及び受信回路１２による情報通信が可能となったピンパッド３０において正規の鍵情報が記録されているか否かを判断するように機能し、より具体的には、有効期限登録部の登録内容に基づき、送信回路１１及び受信回路１２による情報通信が可能となったピンパッド３０において有効期限内の正規の鍵情報が記録されているか否かを判断するように機能する。なお、上述した例では、記憶部１４に登録された正規の鍵情報に対して有効期限を対応付けて登録することでその正規の鍵情報の有効期限を把握できるようにしていたが、記憶部３４に記憶された正規の鍵情報に有効期限を対応付けて記憶することで、その正規の鍵情報の有効期限を把握できるようにしてもよい。この場合、Ｓ５の処理時が正規の鍵情報の有効期限を超えているか否かの判断は、記憶部３４の内容に基づいて判断すればよい。
【００４６】
Ｓ５にてＹｅｓに進む場合、決済端末１０においてプログラム起動処理及び入力要求処理がなされる（Ｓ７）。この処理では、決済端末１０側で取得したＩＣカード２０の種類と対応するプログラムを起動させる。具体的には、プログラム起動コマンドやＩＣカード２０の種類、会社名の情報などが上位装置２から決済端末１０へ与えられる。
【００４７】
ここで、決済端末１０の記憶部１４には、ＩＣカード２０の各種類と対応するピンパッド３０の入力時のデータ加工処理をそれぞれ実行可能なプログラムが記憶されている。具体的には、例えば、クレジットＡ用ピンパッドソフト、クレジットＢ用ピンパッドソフト、デビットＣ用ピンパッドソフト・・・というように、各ＩＣカード２０の種類（クレジットカードやデビットカードなど）及び各ＩＣカード２０を発行する発行会社（Ａ会社、Ｂ会社、Ｃ会社・・・など）毎に規定された暗号化処理や通信電文の生成処理を実行可能なプログラムが記憶されている。また、例えば、通信手順やピン暗号機能、セキュリティなどの方式は、各会社が発行する決済媒体の種類毎に規定されている。例えば、Ａ社が発行するクレジットＡでは、通信手順は、電文暗号ＡＥＳ（Advanced Encryption Standard）１２８ビットのＡ社のセンタ方式で行うことが規定されており、また、ピンの暗号化規格はＤＥＳ（Data Encryption Standard）、セキュリティ規格はＰＣＩ-ＰＥＤ１．０となっている。そして、Ｓ５では、例えば、上位装置２で選択されたＩＣカード２０の種類が「クレジットＡ（Ａ会社が発行するクレジット）」であった場合は、クレジットＡ用ピンパッドソフトが起動されるようになっている。
【００４８】
このように、決済対象となるＩＣカード２０に対応するプログラムが起動された後、ピンパッド３０に対して暗証番号の入力を要求するコマンドを送信する（Ｓ７）。ピンパッド３０側では、このコマンドを受けた場合、所定の報知処理（例えば、４桁の暗証番号入力を促すメッセージ表示や音声案内など）を行い、入力部３２からの入力を受け付ける。そして、利用者により暗証番号の入力（ピン入力）がなされると、この入力された暗証番号（入力情報）が、記憶部３４に記録された暗号化キーを鍵として所定の暗号化アルゴリズムによって暗号化され、利用者が入力した暗証番号を暗号化した暗号データが決済端末１０に送信される。そして、Ｓ８ではこのように送信された暗号データ（ＰＩＮ入力結果を暗号化したデータ）を取得する。なお、ピンパッド３０に入力されたピン（暗証番号）は、例えば記憶部３４の揮発性領域（例えばＲＡＭ領域）に記憶される構成となっており、動作電力又は充電回路３６からの電力供給が失われることで記憶部３４から消去される構成となっている。この構成によって、決済処理の終了後にピン（暗証番号）がピンパッド３０に長く残存することがなく、第三者にピン（暗証番号）が盗まれることを防ぐことができる。
【００４９】
なお、記憶部３４は、「暗号化キー記録部」の一例に相当し、暗号化キーを記録するように機能する。また、制御回路３１は、「暗号化部」の一例に相当し、入力部３２にて入力された入力情報（暗証番号）を、記憶部３４に記録された暗号化キーに基づいて暗号化するように機能する。そして、送信部に相当する通信部３５は、暗号化部によって暗号化された入力情報（暗証番号）を決済端末１０に送信するように機能する。
【００５０】
そして、決済端末１０又は上位装置２では、ピンパッド３０から送信されたデータ（暗号化された入力情報（暗証番号））をＳ８で取得すると、記憶部１４に記録された解読キー（上記暗号化キーと同一のキー）に基づいてその暗号データの解読を行う。本構成では、互いに対応付けられた正規の関係にある決済端末１０及びピンパッド３０において、同一のキーが記憶されるようになっており、これらのうち、決済端末１０の記憶部１４に記憶されるキーは解読キーとして機能し、ピンパッド３０に記憶されるキーは暗号化キーとして機能している。例えば、決済端末１０の記憶部１４には予め当該キーが記憶されており、図７のように対向壁１０ｂを覆う構成で決済端末１０上にピンパッド３０が載置された場合、決済端末１０からピンパッド３０に対して当該キーが送信されるようになっている。そして、ピンパッド３０はこのように送信されるキーを受信し、暗号化キーとして記憶部３４に記録する構成となっている。このようにすれば、決済端末１０とピンパッド３０に同一のキーを簡単に登録することができる。また、決済端末１０では、ピンパッドにおいて上記暗号化キーを用いて暗号化された暗号データを、その暗号化に用いた暗号化アルゴリズムに対応する解読アルゴリズム（当該暗号化アルゴリズムの暗号を解読するアルゴリズム）と解読キーによって解読できるようになっている。このようにして、決済端末１０又は上位装置２が、ピンパッド３０で入力されたピン情報（入力情報に相当する暗証番号）を取得することになる。
【００５１】
なお、記憶部１４は、「解読キー記録部」の一例に相当し、制御回路３１によって暗号化されたデータを解読するための解読キーを記録するように機能する。また、制御回路１３は、「解読部」の一例に相当し、受信回路１２が受信した入力情報の暗号（即ち、ピンパッド３０で入力された上記暗証番号を上記暗号化キーに基づいて暗号化したデータ）を、記憶部１４に記録された解読キーに基づいて解読するように機能する。
【００５２】
そして、上位装置２は、ＩＣカード２０の読取結果と、制御回路１３が解読した入力情報とに基づいて決済処理を行う。具体的には、ＩＣカード２０を読み取って得られた決済用データ（カード番号など）と、Ｓ８の処理でピンパッド３０から得られたピン情報（ピンパッド３０からの暗号データを解読して得られた入力情報（暗証番号））とを対応付けて当該ＩＣカード２０に対応するマネーセンターの管理装置に送信し、オンライン認証を行う。なお、本構成では、ＩＣカードの種類毎に送信先となる管理装置（マネーセンター）が対応付けられており、Ｓ９では、図８の処理で扱われるＩＣカード２０に対応する管理装置（マネーセンター）に対して、上位装置２から、決済用データ（カード番号など）と入力情報（暗証番号）と上述の精算金額（購入金額）のデータとを送信する。そして、マネーセンター側では、上位装置２から送信された決済用データ（カード番号など）と入力情報（暗証番号）が有効か否かの判定（ネガ判定）が行われる（オンライン認証処理）。例えば、そのカード番号が予め登録された利用停止のカード番号に該当するか否かの判定や、Ｓ９で送信されたカード番号と入力情報（暗証番号）とが正規の関係にあるか否かの判定を行う。また、Ｓ９で送信された精算金額によってそのカード番号に対応付けられた限度額を超えるか否かの判定も行う。そして、そのマネーセンターでは、Ｓ９で送信されたカード番号が利用停止に該当せず、そのカード番号と入力情報（暗証番号）とが登録された正規の関係にあり、その精算金額を加算してもそのカード番号に割り当てられた限度額を超えない場合には、精算許可と判定し、その旨を承認番号と共に上位装置２に送信することになる。そして、上位装置２では、伝票番号や承認番号（マネーセンターから送信される番号）、支払区分（一括払いや分割払いなど）、精算金額などを記載した明細（レシート）を発行し、当該決済処理を終了する。
【００５３】
なお、本構成では、制御回路１３が、「決済処理部」の一例に相当し、送信回路１１及び受信回路１２（無線通信部）によるＩＣカード２０の読取結果と、受信回路１２（通信部）が受信した入力情報（具体的には、解読部が解読した入力情報（暗証番号））とに基づいて決済処理を行うように機能する。なお、上述した例では、Ｓ９において決済端末１０が行う決済処理は、ＩＣカード２０の読取結果とピンパッド３０での入力情報（暗証番号）とを紐付けて上位装置２に送信する処理となっているが、Ｓ９において、決済端末１０が、ＩＣカード２０の読取結果とピンパッド３０での入力情報（暗証番号）と精算金額とを対応付けてマネーセンターに送信するように決済処理を行ってもよい。
【００５４】
また、決済端末１０では、上位装置２側へ決済処理の状況を照会するとともに、この決済処理の進行状況を表示部１８へ表示するようになっている。具体的には、決済端末１０の表示部１８では、上位装置２とマネーセンターとの間で行われるオンライン認証の結果（例えば、「認証ＯＫ」や「認証失敗」などのメッセージ）や入力部４で入力された精算金額、「センタと通信中」や「決済完了」などのメッセージを表示するようになっている。
【００５５】
なお、決済システム１は、図１に示すように、複数の決済端末１０を備える構成であってもよく、この場合、複数の決済端末１０を全て同一の構成とし、それぞれの記憶部１４に、同一の解読キー（上述した解読キー）を記憶し、いずれの決済端末１０でも、この解読キーと上述した解読アルゴリズムを用いてピンパッド３０からの暗号データ（ピンパッド３０の制御回路３１によって暗号化された入力情報（暗証番号））を解読できるようにしておいてもよい。このように、複数の決済端末１０を設け、複数の決済端末１０のそれぞれの記憶部１４（解読キー記録部）に、上述の暗号化部によって暗号化されたデータを解読するための解読キーを記録しておき、複数の決済端末１０のいずれの解読部でも、暗号化された上記入力情報（暗証番号）が解読可能となっていることで、暗号化機能を有するピンパッド３０（入力装置）によって入力情報の秘匿性を高めつつ、そのピンパッド３０を、正規の複数の決済端末１０で共用できるようになり、利便性が高まる。
【００５６】
（第１実施形態の主な効果）
決済システム１において、決済端末１０とは別体として構成されるピンパッド３０は、決済端末１０から受信する電磁波によって生成される動作電力又は充電回路３６への充電電力を用いて、入力された入力情報を決済端末１０に送信する構成となっている。そのため、決済端末１０とピンパッド３０との間を電力供給ラインとして接続する構成を設ける必要がなく、決済端末１０付近を簡素化することができる。従って、決済システム１を適用したレジ周りのスペースを確保し易くなり、決済端末１０付近における商品の受け渡し等のスペースを狭めてしまう虞がなくなる。また、決済端末１０とピンパッド３０との間に通信ラインが設けられる構成に比べ、ピンパッド３０の移動や出し入れを行い易く、レジで会計する際の手間が省かれることになる。
【００５７】
また、本実施形態では、ピンパッド３０は、入力情報を制御回路３１によって暗号化して決済端末１０に送信する構成となっている。そのため、入力情報の送信時に、悪意のある第三者によって暗号化された入力情報が取得されたとしても、入力情報を解読可能な解読キーを有さない限り入力情報を解読されることはない。従って、入力情報の送信時におけるセキュリティ性を向上させることができる。
【００５８】
また、本実施形態では、決済端末１０は、受信した入力情報の暗号を、記憶部１４に記録された解読キーに基づいて解読するように構成されている。そのため、暗号化された入力情報を取得したとしても、解読キーに基づいて暗号データを解読することで入力情報を取得でき、当該入力情報を決済処理に用いることができる。
【００５９】
また、本実施形態では、決済システム１が、暗号化されたデータを記憶部３４に記録された解読キーに基づいて解読する決済端末１０を複数備え、いずれの決済端末１０でも暗号化された入力情報を解読可能に構成されている。そのため、入力情報の送信時のセキュリティ性を維持しつつ、暗号化機能を有するピンパッド３０を複数の決済端末１０で共用することができる。
【００６０】
また、本実施形態では、決済端末１０は、所定の対向壁１０ｂを備え、対向壁１０ｂの壁面を介して送信回路１１からの電磁波が放出される構成となっている。また、図７のように決済端末１０の対向壁１０ｂを覆う構成で当該決済端末１０上にピンパッド３０が載置された場合に、送信回路１１から出力される電磁波のエリア内に通信部３５が配置される構成となっている。そのため、ピンパッド３０と決済端末１０との通信範囲を狭くすることができ、悪意のある第三者がこのような狭い通信範囲内において電磁波を傍受することが困難になり、セキュリティ性を向上させることができる。また、ピンパッド３０と決済端末１０との通信範囲が狭い構成であるため、電磁波の送受信における障害物が少なく、良好な通信を実現し易くなる。
【００６１】
また、本実施形態では、ピンパッド３０は、図７のように対向壁１０ｂを覆う構成で決済端末１０上に載置される際に、決済端末１０から送信される暗号化キーを受信した場合に、その受信した暗号化キーを制御回路３１が記憶部３４に記録する構成となっている。そのため、ピンパッド３０の使用時に決済端末１０上に載置されるまで、当該ピンパッド３０が暗号化キーを取得することがないため、ピンパッド３０の使用以前に当該ピンパッド３０から暗号化キーが漏洩する虞が無く、暗号化キーの流出に対するセキュリティ性を向上させることができる。
【００６２】
また、本実施形態では、決済端末１０は、当該決済端末１０上に入力装置が載置されたことを検知する検知部１９を備える構成となっている。そのため、決済端末１０から出力される電磁波のエリア内にピンパッド３０の通信部３５が配置される時点が分かり、決済端末１０とピンパッド３０との通信を開始するタイミングを正確に計ることができる。
【００６３】
また、本実施形態では、ピンパッド３０には、所定の鍵情報を記録する記憶部３４が設けられ、決済端末１０の制御回路１３は、制御回路１３によって正規の鍵情報が記録されていると判断されたピンパッド３０から入力情報を取得することを条件として決済処理を行うように構成されている。そのため、正規でないピンパッド３０（即ち、所定の鍵情報を記録する構成で無いピンパッド３０）を判別し、不正目的や誤操作によって正規でないピンパッド３０を用いて決済処理が行われることを防ぐことができる。
【００６４】
また、本実施形態では、決済端末１０には、鍵情報の有効期限を登録する記憶部１４が設けられており、決済端末１０の制御回路１３は、記憶部１４の登録内容に基づき、送信回路１１及び受信回路１２による情報通信が可能となったピンパッド３０において有効期限内の正規の鍵情報が記録されているか否かを判断する構成となっている。そのため、決済端末１０は、登録した鍵情報の有効期限を超過したピンパッド３０を判別することができ、鍵情報の有効期限を超過してセキュリティ性が低くなったピンパッド３０の利用を効果的に防ぐことができる。
【００６５】
［他の実施形態］
本発明は上記記述及び図面によって説明した実施形態に限定されるものではなく、例えば次のような実施形態も本発明の技術的範囲に含まれる。
【００６６】
上記第１実施形態では、決済端末１０の記憶部１４に、鍵情報の有効期限が登録される構成を例示したが、ピンパッド３０の記憶部３４、あるいは決済端末１０の記憶部１４とピンパッド３０の記憶部３４の両方に鍵情報の有効期限が登録される構成としてもよい。この場合、ピンパッド３０の記憶部３４、あるいは決済端末１０の記憶部１４とピンパッド３０の記憶部３４の両方が「有効期限登録部」の一例に相当することになる。
【００６７】
上記第１実施形態では、決済端末１０の検知部１９として、決済端末１０の対向壁１０ｂに溝部１９Ａが形成され、当該溝部１９Ａ内に投光素子１９Ｂ及び受光素子１９Ｃが設けられる構成を例示したが、その他の構成によってピンパッド３０の決済端末１０への載置を検知してもよい。例えば、決済端末１０の対向壁１０ｂに上方に突出する押圧ボタンを設けると共に、ピンパッド３０が決済端末１０上に載置された時に当該押圧ボタンがピンパッド３０の下面３７によって下方に押圧されることに伴って電流が導通する電流検出回路を設けることで、当該押圧ボタンの変位を電流値で検出して、ピンパッド３０の決済端末１０への載置を検知してもよい。また、例えば決済端末１０の対向壁１０ｂ上において、ピンパッド３０が載置された場合に当該ピンパッド３０と接触する箇所に、圧力の変化を検出する圧力センサを設ける構成としてもよい。このようにセンサが検出する検出値の変化によって、ピンパッド３０が決済端末１０に載置された場合に、ピンパッド３０の決済端末１０への載置を検知してもよい。
【符号の説明】
【００６８】
１…決済システム
１０…決済端末
１０ｂ…対向壁
１１…送信回路（無線通信部、通信部）
１２…受信回路（無線通信部、通信部）
１３…制御回路（決済処理部、解読部、判断部）
１４…記憶部（解読キー記録部、有効期限登録部）
１９…検知部
２０…ＩＣカード（無線通信媒体）
３０…ピンパッド（入力装置）
３１…制御回路（暗号化部、登録処理部）
３２…入力部
３４…記憶部（暗号化キー記録部、鍵情報記録部）
３５…通信部（受信部、送信部）
３６…充電回路（蓄電部）
【図１】
2015090681.tif 000003
【図２】
2015090681.tif 000004
【図３】
2015090681.tif 000005
【図４】
2015090681.tif 000006
【図５】
2015090681.tif 000007
【図６】
2015090681.tif 000008
【図７】
2015090681.tif 000009
【図８】
2015090681.tif 000010